(57)【特許請求の範囲】
【請求項１】
上層用紙の記入欄に書かれた情報を下層用紙上に複写する感圧複写伝票において、前記上層用紙の前記記入欄の裏面に、赤外線照射により色調パターンの変化を生じる赤外線発光蛍光体を含有する蛍光インキからなる感圧転写層が設けられ、該赤外線発光蛍光体が、エルビウム塩化物またはエルビウムフッ化物を主成分とし無色透明又は無機蛍光体を含有する白色結晶粉末であり、かつ前記下層用紙の表面に迷彩パターン層を有しており、前記下層用紙は前記上層用紙よりも厚く、前記上層用紙と前記下層用紙が接着し、且つ前記下層用紙は文字、数字の形状に凹凸加工されていることを特徴とする感圧複写伝票。
【請求項２】
前記上層用紙と前記下層用紙との間に一層又は複数層の中間用紙を有することを特徴とする請求項１記載の感圧複写伝票。
【請求項３】
前記中間用紙の少なくとも一層の下層用紙側の面に前記感圧転写層を設けてなることを特徴とする請求項２記載の感圧複写伝票。
【発明の詳細な説明】
【０００１】
【発明の属する技術分野】
本発明は手書き又は機械等の印字により記入した情報を上層用紙から下層用紙に感圧転写する感圧複写用紙に関し、とくに銀行等の金融機関で使用する秘密保持を可能とする感圧複写伝票に関するものである。
【０００２】
【従来の技術】
銀行等の金融機関において、口座開設時等に使用する感圧複写伝票には、暗証番号等、多数の人間の目に触れては不都合な暗証情報も書き込まれる。そのため、その暗証情報を目視されないようにする必要があり、従来の感圧複写伝票においても何らかの暗証情報隠蔽手段が設けられている。
そのような暗証情報隠蔽手段としては、紫外線発光蛍光体を使用した紫外線蛍光感圧複写方式、メタメリックインキを使用した感圧複写方式及び、特開平０６−２９７８８２号公報に記載されている赤外線吸収物質を使用した不可視感圧複写方式がある。
【０００３】
前者の紫外線蛍光感圧複写方式とは、暗証情報が複写される下層用紙に迷彩パターン層を印刷し、暗証情報記入欄のある上層用紙の裏面に紫外線照射により色調パターンが変化する紫外線発光蛍光体含有蛍光インキ層を設けた感圧複写伝票（複写式伝票）である。この紫外線蛍光感圧複写方式感圧複写伝票は上層用紙の暗証情報記入欄に暗証情報を記入することにより、上層用紙裏面の紫外線蛍光インキ層の一部を下層用紙の迷彩パターン層上に複写することが可能である。そして、下層用紙に複写された暗証情報は通常では目視できない。しかし、ブラックライト等の紫外線照射により、複写部分が発光するため、暗証情報を目視することができる。
【０００４】
次に、メタメリックインキを使用した感圧複写方式とは、暗証情報記入欄のある上層用紙の裏面にメタメリックインキを用いた感圧複写層を設け、暗証情報が複写される下層用紙に迷彩パターン層を設けた感圧複写伝票（複写式伝票）である。ここで用いるメタメリックインキは、視認度の低い波長領域、すなわち可視光領域における波長６５０〜７００ｎｍの領域において、分光反射率が大きく異なる２種の有色色料である。このメタメリックインキを使用した感圧複写方式による感圧複写伝票は上層用紙の暗証情報記入欄に暗証情報を記入することにより、上層用紙裏面の感圧複写層の一部を下層用紙の迷彩パターン層上に複写することが可能である。そして、下層用紙に複写された暗証情報は太陽光、蛍光灯、白熱電灯等の通常光の下では、同一色に見えるが、フィルターを介することで、複写部分が異なる色相、明度、彩度で視認できるようになり、暗証情報を目視することができる。
【０００５】
また、後者の不可視感圧複写方式とは、暗証情報記入欄のある上層用紙の裏面に実質的に可視光領域に吸収が無く赤外光を吸収する赤外線吸収物質を含む赤外線吸収インキ層が設けられており、かつ、下層用紙表面が赤外線反射性を有するとした感圧複写伝票（複写式伝票）である。この不可視感圧複写方式感圧複写伝票は上層用紙の暗証情報記入欄に暗証情報を記入することにより、上層用紙裏面の赤外線吸収インキ層の一部を下層用紙の迷彩パターン層上に複写することが可能である。そして、下層用紙に複写された暗証情報は通常では目視できないが、赤外線スコープにより、複写部分の暗証情報を目視することができる。
【０００６】
【発明が解決しようとする課題】
上記の従来の方式では、下層用紙に複写された情報は、通常では目視困難であるが、これを確認検証する際に、再生される際に、情報が読みにくいという欠点を有していた。
そこで、本発明は、上層用紙の暗証情報等の記入欄に書かれた暗証情報などの秘匿すべき情報を下層用紙に複写する感圧複写伝票において、複写される暗証番号等の秘匿すべき情報を検証時には見やすく、通常では隠蔽され、かつ秘匿する情報の存在を意識させない新たな情報隠蔽手段として提案するものである。
【０００７】
【課題を解決するための手段】
本発明は上記課題を達成するためなされたものであり、請求項１の発明は、上層用紙の記入欄に書かれた情報を下層用紙上に複写する感圧複写伝票において、前記上層用紙の前記記入欄の裏面に、赤外線照射により色調パターンの変化を生じる赤外線発光蛍光体を含有する蛍光インキからなる感圧転写層が設けられ、該赤外線発光蛍光体が、エルビウム塩化物またはエルビウムフッ化物を主成分とし無色透明又は無機蛍光体を含有する白色結晶粉末であり、かつ前記下層用紙の表面に迷彩パターン層を有しており、前記下層用紙は前記上層用紙よりも厚く、前記上層用紙と前記下層用紙が接着し、且つ前記下層用紙は文字、数字の形状に凹凸加工されていることを特徴とする感圧複写伝票である。
【００１０】
請求項２の発明は、請求項１に記載の感圧複写伝票において、上層用紙と下層用紙との間に一層又は複数層の中間用紙を有することを特徴とする。
【００１１】
請求項３の発明は、請求項２に記載の感圧複写伝票において、中間用紙の少なくとも一層の下層用紙側の面に感圧転写層を設けてなることを特徴とする。
【００１２】
【発明の実施の形態】
以下本発明の実施の形態を説明する。
【００１３】
図１は本発明の感圧複写伝票１０における構成の一例を説明する部分断面図である。尚、本構成では用紙が上層と下層の２枚だけであるが、それ以上の枚数の構成であっても本発明の要旨を逸脱するものでなければよい。
図３は図１に記載の感圧複写伝票１０の正面図であり、図３のＸ−Ｘ線における断面図が図１である。図３の感圧複写伝票１０は、銀行口座開設申込書の例を示し、少なくとも暗証番号を記入する記入欄１１は、本発明における感圧複写層と明細パターン層がそれぞれ上層用紙１と下層用紙４に設けられているものである。
【００１４】
図１において、表面に迷彩パターン層３が設けられた下層用紙４と、下層用紙４側の面に感圧複写層２が設けられた上層用紙１とを重ねた状態で、上層用紙１と下層用紙４とが不用意に分離しないように、少なくともその端部を容易に剥離しないように粘着剤等により接着されている（図示しない）。なお、必要に応じて、上層用紙１と下層用紙４とを分離する場合は、容易に剥離できるものである。
本発明における用紙は、特に限定されないが、上層に設けられる上層用紙１は図３の表面の情報記入欄１１に記入する暗証等の記入情報の筆圧を下層用紙に伝える必要があるので、筆記具により記入し易い薄手の紙が好ましい。他方、下層に設けられる下層用紙４は、とくに筆記具等の筆圧による上層用紙１の変形により転写される文字や数字などが目視されないように、少なくとも表面に迷彩模様を有する必要があり、また、筆圧により変形してしまうと、その転写跡のような用紙の変形から文字や数字などは容易に目視されてしまう恐れがあるため、変形しにくい厚手の紙である。なお、図５に示すように下層用紙４は筆圧による変形を生じる可能性がある場合は、予め凹凸状になるようにランダムな模様や関連のない文字、数字などの凹凸部６を設けておき、筆圧による変形を生じても、その変形から記入された文字や数字などの目視による読み取りを困難にすることもできる。
【００１５】
本発明における感圧複写層２とは、上層用紙１の裏面に形成された赤外光で蛍光発光能を有する赤外線発光蛍光体を含有する蛍光インキ層であり、上層用紙１の表紙表面の暗証などの情報を記入する記入欄に書かれた部分を下層用紙４の表面に複写する層である。尚、赤外線発光蛍光体とは波長λ1 の励起光を受けて、波長λ2 の可視光を発光する特性を示し、λ1 ＝λ2 またはλ1 ≠λ2 かつλ1 ＞λ2 なる性質を有するもので、その組成はエルビウム塩化物（ＥｒＣｌ2 など）またはエルビウムフッ化物（ＥｒＦ3 など）及びバリウム塩化物（ＢａＣｌ2 など）との共晶あるいはアモルファスがあり、いずれも励起光（λ1 ）８００ｎｍの赤外光を受けて、９８０〜１０２０ｎｍに発光スペクトルを顕のピークを有する赤外線（λ2 ）を発光するものである。インキ中の赤外線発光蛍光体の添加量は検出器の受光素子の蛍光検知が可能となるなるようにすることが望ましい。また、これらの赤外線発光蛍光体をインキ化するために用いるバインダーとしては、ワックス等が用いられる。上記バインダーは赤外線発光蛍光インキ組成中に２０重量％以上含まれることが好ましい。
インキ化した赤外線発光蛍光体を用いフレキソ印刷法等の既知の塗布方法により上記の感圧複写層２を形成する。
なお、目視されてもよい情報は従来使用されているカーボンコピーなどの感圧複写手段を用いることができることは言うまでもない。
【００１６】
次に、本発明における下層用紙４に形成される迷彩パターン層３とは、通常インキにより構成されるものであり、例えば、アクリル系、ポリエステル系、ポリウレタン系、エポキシ系等の樹脂に、例えば、黄、紅、藍等の顔料または染料を混合したもの等がある。迷彩パターン層３の形成方法は、従来公知のグラビア印刷法、スクリーン印刷法、オフセット印刷法等の印刷方式があり、用途に応じて適宜選択することができる。
上記のように作製した上層用紙と下層用紙の端部を接着することにより、感圧複写伝票を得た。
【００１７】
以下、本発明に係わる感圧複写伝票の使用例を図面を用いて説明する。
まず、図３に記載の感圧複写伝票１０の感圧複写層が形成されている部分に相当する上層用紙の情報記入欄１１に情報、例えばクレジットカードの加入申込書又は銀行口座開設申込書であれば、暗証番号などを記入する。次に、上層用紙と下層用紙を剥離すると、図２に示すように下層用紙４には筆圧が加わった部分の感圧複写層２の一部が複写されているが、目視での確認は困難である。これに赤外線ライトを照射すると複写部分５が蛍光発光し、複写された暗証情報を目視確認することができた。
【００１８】
次に図３に示す感圧複写伝票２０は、上層用紙１と下層用紙４との間に中間用紙７を設けたものである。この中間用紙７は、上層用紙１に記入された情報の全部又は一部を同時に複数に複写転記する場合に設けられるが、記入される情報の一部を複写転記する場合や暗証番号などの重要情報を複写転記するような場合など、その用途使途により構成が異なり、また上層用紙１の構成も異なってくる。例えば、図３では中間用紙７に暗証番号など秘密情報を複写しないときは、上層用紙１の中間用紙７側には通常のカーボンコピー等の感圧複写手段８のみを設け、中間用紙７には下層用紙４側に感圧複写層２を設け、下層用紙４には迷彩パターン３が同様に設けられている。なお、必要に応じて転写部分には凹凸部６を設けることも可能である。このように、用途に応じて、適宜構成を変えて感圧複写伝票を作製することができる。
【００１９】
【実施例】
次に本発明を実施例を挙げ、具体的に説明する。
＜実施例１＞
【００２０】
本発明の感圧複写伝票は、
〔感圧複写伝票の構成〕
上層用紙      ：上質紙  ３５ｋｇ（三島製紙製）
感圧複写層    ：下記蛍光インキ
迷彩パターン層：下記迷彩パターン層インキ
下層用紙      ：上質紙１１０Ｋｇ（三島製紙製）
からなり、まず、本発明の感圧複写伝票の感圧複写層を構成する蛍光インキは、赤外線（波長８００〜８１０ｎｍ、波長９００〜１１００ｎｍ）照射で色調パターンが変化する赤外線発光蛍光体、エルビウム塩化物またはエルビウムフッ化物の単体、バリウム塩化物を混合した共晶あるいはアモルファスを使用し、これを粉末化し、赤外線発光蛍光体顔料を用いて、下記組成に調整した。
0004240591.tif 000002
【００２１】
次に迷彩パターンを構成するインキは、
〔迷彩パターン層インキの組成〕
ＴＡ  ＰＳ  マット  各色ＮＷ（ＴＯＫＡ製）  ２０重量部
ＴＡ  ＰＳ  マットメジウム（ＴＯＫＡ製）    ８０重量部
である。
【００２２】
これらを蛍光インキを上層用紙となる薄手の白色用紙の暗証情報記入欄に対応する部分の裏面に塗布し感圧複写層を、下層用紙となる厚手の用紙の表面には迷彩パターンを印刷した。この上層用紙と下層用紙の端部を接着して、感圧複写伝票を作製した。
この感圧複写伝票の上層用紙の記入欄に情報を記入後、上層用紙と下層用紙を分離し、下層用紙の複写部分を見たところ、複写された蛍光インキによる文字や数字などの情報を目視することは不可能であったが、赤外線ライトを照射することで、複写部分の蛍光インキが蛍光発光し、転写された情報を目視確認することができた。
【００２３】
【発明の効果】
以上、本発明の感圧複写伝票によれば、複写により下層用紙に部分的に転移する感圧複写層は、その主成分である蛍光インキが、実質的に可視光領域に吸収がなく、赤外線照射で色調パターンが変化するため、迷彩パターン層の影響も含め、下層用紙に複写した複写部分を目視することは困難となるが、赤外線ライト等の照射により複写部分が蛍光発光し、暗証情報を確認することができる。
また、上記のように本発明で用いる赤外線発光蛍光体は、エルビウム塩化物またはエルビウムフッ化物を主成分とし、無色透明または無機蛍光体を含有する白色結晶粉末を採用しているため、扱いやすく、実質的に可視光領域に吸収が無く、目視することを困難としている。
このように本発明の複写伝票によれば、秘匿する情報を複写する場合に、複写された情報は、通常では目視できず、確認検証する者のみが読み取ることができうるようにするため、盗み見や不注意による露出等の不注意による情報の漏洩を防ぐことができ、また確認検証する際には、蛍光発光により明瞭に情報を目視することができる。
【図面の簡単な説明】
【図１】本発明の感圧複写伝票の一実施例を示す部分断面図である。
【図２】本発明の感圧複写伝票の一実施例における情報の転写状況を説明する部分断面図である。
【図３】本発明の感圧複写伝票の一実施例を説明する平面図である。
【図４】本発明の感圧複写伝票の他の実施例を示す部分断面図である。
【図５】本発明の感圧複写伝票の他の実施例を示す部分断面図である。
【符号の説明】
１          上層用紙
２          感圧複写層
３          迷彩パターン層
４          下層用紙
５          複写部分
１          凹凸部
２          中間用紙
３          感圧複写手段
１０、２０    感圧複写伝票
１１          記入欄
【図１】
0004240591.tif 000003
【図２】
0004240591.tif 000004
【図３】
0004240591.tif 000005
【図４】
0004240591.tif 000006
【図５】
0004240591.tif 000007